(57)【要約】【課題】愛玩動物の骨格や体型に沿った腹部、脇部、及び背中部全体にゆとりのある立体的の構造を付与し、衣類により愛玩動物が装着時の快適性を高めた衣服を作る。【解決手段】愛玩動物の胴を前身ごろにギャザーをした布を前身ごろ１の一部また全体に構成することで、上下の伸縮性に向上することでゆとりを施すことができる。脇身ごろに、タック３を取り付けた構成で脇部および後ろ身ごろにゆとりを設けることで立体的構造をすると共に伸縮性が特徴としている。生地全般に使用することで伸縮度を増大させた愛玩動物用の衣服になる。【選択図】図１
0003152554.tif 000002
【実用新案登録請求の範囲】
【請求項１】
前身ごろ（１）と後ろ身ごろ（２）を有し、前方に頭を出すための前方開口部（５）と、後方に胴部を通すための後方開口部（７）を有した愛玩動物用衣服において、
前記前身ごろを伸縮性の向上のために、布の一部のみを縫い縮めてひだを作ったギャザーで構成し、前記前身ごろと前記後ろ身ごろの結合部に布を折り畳んで積層したタックを形成した
ことを特徴とする愛玩動物用衣服。
【請求項２】
請求項１に記載の愛玩動物用衣服において、
前記前身ごろを伸縮性の向上のために、布の一部のみを縫い縮めてひだを作ったギャザー（１ａ）で形成されている
ことを特徴とする愛玩動物用衣服。
【請求項３】
請求項１に記載の愛玩動物用衣服において、
前記前身ごろと前記後ろ身ごろの前方の側面の結合部を開口した貫通孔であり、前記愛玩動物の前足を通すためのアームホールが形成されており、
前記タックは、前記愛玩動物の脇腹部に前記後ろ身ごろの布に形成されている
ことを特徴とする愛玩動物用衣服。
【請求項４】
請求項３に記載の愛玩動物用衣服において、
前記前記アームホール（４）に基端が連結され、先端にギャザー（１１）が形成され前記愛玩動物の前足の足首をカバーする袖（１１ａ）が形成された椀部（１０）と、
前記前身ごろと前記後ろ身ごろの後方に結合され、先端にギャザー（１４ａ）が形成され前記愛玩動物の後足の足首をカバーする袖（１４）が形成された椀部（１３）と
を有することを特徴とする愛玩動物用衣服。
【請求項５】
請求項３に記載の愛玩動物用衣服において、
前記前方開口部（５）は、前記前方開口部（５）の縁に沿ってギャザー（２０ａ）が形  成され前記愛玩動物の首をカバーする袖（２０）が形成されている
ことを特徴とする愛玩動物用衣服。
【考案の詳細な説明】
【技術分野】
【０００１】  本考案は、犬や猫等の愛玩動物用の衣服に関するものである。更に詳しくは、愛玩動物の運動機能を損なわないように、衣服の伸縮性を向上させたギャザーとタックを愛玩動物用衣服の前身ごろ、脇身ごろ、及び後ろ身ごろに形成し、愛玩動物の腹部、脇腹部、背中部にゆとりを施した愛玩動物用衣服に関するものである。
【背景技術】
【０００２】  犬や猫等の愛玩動物に、人間と同じような衣服を着用させることが行われており、そのための各種衣服が提案されている（特許文献１参照）。犬を例にとれば、近年は番犬から愛玩犬として品種改良されたこともあり、寒さに弱い、皮膚が弱い、毛が短いなどの特徴を有する犬種もあり、寒さ対策、皮膚を守る、脱毛防止などの為に愛玩動物用の衣服は、重要なアイテムになっている。また、愛玩動物を公共の場に連れて行くとき、その場を汚さないようにアレルギー源ともなる脱毛を防ぐために衣服を着用することも重要なアイテムとなっている。
【先行技術文献】
【特許文献１】ＷＯ２００６／０９０８６１
【考案の概要】
【考案が解決しようとする課題】
【０００３】  しかしながら、従来から提案されている愛玩動物用の衣服は、人間用の衣服を単に愛玩動物の大きさに縮小した構造のものが大半であり、種々の不具合が生じている。犬や猫等の４足の愛玩動物の骨格と人間の骨格とを比べてみると、人間の肩甲骨が鎖骨に支えられて横方向に広がっているのに対して、犬（４足の愛玩動物）は、鎖骨が無く、肩甲骨が縦方向についているので、犬や猫等（４足の愛玩動物）は、人間ほど自由に前肢（人間に例えると腕）を動かすことができない。また、４足の愛玩動物は、歩行、又は走るとき、前・後足の夫々の動きも異なり、更にお座りや体を丸めて眠るなど人間と全く違う動きを取っている。【０００４】  更に、人間と違って短期間での体重の変動が激しく、かつ脂肪も人間のように腹ではなく背中ないし横腹に付くので、従来の愛玩動物用の衣服をそのまま着せても、愛玩動物の体型がそのまま現れることはなく、脇部及び背中部に立体感の乏しいものとなっている。また、犬や猫等の愛玩動物の健康維持、運動不足やストレス解消の目的とした外で散歩するとき、皮膚、毛を紫外線から保護し、更に埃、泥、落ち葉、雨などから保護するために衣服は重要なアイテムである。【０００５】  更に、愛玩動物に様々な衣類を着用させるのは、寒さ対策やアレルギー源ともなる脱毛防止などのマナーだけではなくなり、飼い主の一つのファッションとして定着し、人間にとってもデザインも良好な衣服を求められているのである。犬の種類によって、例えばパグやブルドックのよう短頭種は、首回りのサイズに合わせると脇部、胴部が大きくなり適切なサイズの衣服を着せることは困難である。【０００６】  そして、前述した特許文献１に記載の非伸縮性布材と伸縮性布を結合した構成のような生地の組み合わせの衣服では、歩行や走ったりする運動機能、更には成長や体型の変動に対応するには限度がある。以上のような背景として、本考案の目的は、以下のような目的を達成するものである。【０００７】  本考案の目的は、愛玩動物の自然な骨格や体型に沿って、腹部、脇部、及び背中部の全体に、ゆとりのある立体的な体型を付与できる愛玩動物用衣服を提供することにある。
本考案の他の目的は、愛玩動物が着用したときに走るなどの運動機能等を阻害することなく快適性を高め、しかも人間にとっても愛玩動物に衣服を着用させることでファッション性の向上を図れる愛玩動物用衣服を提供することにある。
【課題を解決するための手段】
【０００８】上記の目的を達成するために、本考案では、下記の手段を採用した。
本考案１の愛玩動物用衣服は、
前身ごろ（１）と後ろ身ごろ（２）を有し、前方に頭を出すための前方開口部（５）と、後方に胴部を通すための後方開口部（７）を有した愛玩動物用衣服において、
前記前身ごろを伸縮性の向上のために、布の一部のみを縫い縮めてひだを作ったギャザーで構成し、前記前身ごろと前記後ろ身ごろの結合部に布を折り畳んで積層したタックを形成したことを特徴とする。【０００９】  本考案２の愛玩動物用衣服は、本考案１の愛玩動物用衣服において、
前記前身ごろと前記後ろ身ごろの前方の側面の結合部を開口した貫通孔であり、前記愛玩動物の前足を通すためのアームホールが形成されており、前記タックは、前記愛玩動物の脇腹部に前記後ろ身ごろの布に形成されていることを特徴とする。【００１０】  本考案３の愛玩動物用衣服は、本考案２の愛玩動物用衣服において、
前記前記アームホール（４）に基端が連結され、先端にギャザー（１１）が形成され前記愛玩動物の前足の足首をカバーする袖（１１ａ）が形成された椀部（１０）と、
前記前身ごろと前記後ろ身ごろの後方に結合され、先端にギャザー（１４ａ）が形成され前記愛玩動物の後足の足首をカバーする袖（１４）が形成された椀部（１３）とを有することを特徴とする。【００１１】  本考案４の愛玩動物用衣服は、本考案２の愛玩動物用衣服において、
前記前方開口部（５）は、前記前方開口部（５）の縁に沿ってギャザー（２０ａ）が形成され前記愛玩動物の首をカバーする袖（２０）が形成されていることを特徴とする。
【考案の効果】
【００１２】  上記の如く構成する本考案によれば、前身ごろに伸縮性の向上のためギャザーを配置し、側面の胴部にタックを取り付けたので、着用に胴部のゆとりをもたらして胴の圧迫から解放し、かつ自然な動きや行為を妨げないものである。また、愛玩動物の種類によって違う体型、成長に対応でき毛の長さによるモクモクや圧迫感を解消することができる。【００１３】  更に、伸縮性を特徴としているギャザーを前身ごろに配置したので、装着時が容易になると共に露出される皮膚や毛足を保護にすることが可能になったので、人間にとってもケアが容易になった。また、ギャザーは、装飾性と人間の衣服にも広く使われており、例えば前身ごろに配置することで、愛玩動物がお座りをした際は腹部分にシャーリングが見えるので、ファション性を高めてくれると共に、衣服を着せやすくなり愛玩動物にしてみても着心地の良いものとなる。
【図面の簡単な説明】
【００１４】
【図１】図１は、本考案に係わる愛玩動物用衣服の実施の形態であり、愛玩動物に着せた状態を示す図である。
【図２】図２は、図１の愛玩動物用衣服を、愛玩動物の横側方向から見た側面図である。
【図３】図３、図１の愛玩動物用衣服の立体図である。
【図４】図４は、図１の愛玩動物用衣服を、愛玩動物の腹側方向から見た正面図である。
【図５】図５は、図１の愛玩動物用衣服を、愛玩動物の背中側方向から見た背面図である。
【図６（Ａ）】図６（Ａ）、本考案に係る愛玩動物用衣服に取り付けるタックの構成を表した説明図であり、その縫い目を示す図である。
【図６（Ｂ）】図６（Ｂ）、本考案に係る愛玩動物用衣服に取り付けるタックの構成を表した説明図であり、折り目を示す図である。
【図７】図７は、本考案に係る愛玩動物用衣服の実施の形態２を背中側方向から見た背面図である。
【図８】図８は、図７の腹側方向から見た正面図である。
【図９】図９は、本考案に係る愛玩動物用衣服の実施の形態３を示す側面図である。
【図１０】図１０は、図９の首袖を伸ばしたときの状態を示す側面図である。
【考案を実施するための形態】
【００１５】［実施の形態１］
次に、この考案の実施の形態を、図面を参照しながら説明する。まず、図１〜５図は本考案に係る愛玩動物用衣服の実施の形態１を示すものである。前身ごろ１は、愛玩動物用衣服の前の部分を示すものであり、愛玩動物の胸及び腹部を覆うものである。この前身ごろ１には、上下の伸縮性を向上するためギャザー１ａ、即ち布にひだを形成したものであり、立体的な構成を成している。
【００１６】  前身ごろ１にギャザー１ａが形成されているので、例えば、犬が走るときに、胸部から腹部が大きく伸びるので、これに対応して前身ごろ１が伸縮するので、犬は快適に走ることができる。本考案でいうギャザー１ａとは、布の一部のみを縫い縮めてひだを作ったものをいう。ギャザーは、単に布を縫い縮めているだけなので、折り皺が途中で消える。タックやプリーツはひとつひとつの折れ線がしっかり鋭角になっているのに比べ、ギャザーはヒダの幅や山が小さく、無作為で、ふんわりとやわらかな表情が出るものとして知られている。
【００１７】  後ろ身ごろ２は、衣服の身頃のうち、後ろの部分を示したものである。タック３は、腹側１と後ろ身ごろ２の境界の両脇腹の位置に形成されたものである。脇から後端にかけての愛玩動物の脇部にタック３を形成したことで、後ろ身ごろ２の背中部および横腹部、脇部に、体型に合わせることができるので、着用したときにゆとりを設けることができる。タック３は、後ろ身ごろ２と脇から腹部にかけて、タック３により前身ごろである腹側が結合することで、愛玩動物用の胴体部の衣服を構成している。
【００１８】  図６（Ａ）に示すように、タック３は、中間部を脇部タックの折り目３ａを形成するために布を重ねて折りこみ、このタック３の上下端を脇部タックの縫製３ｂを施している。愛玩動物の側部である脇から腹部にかけてタック３を配置することにより、愛玩動物が太っていたり、衣服のサイズが多少合致していないとしても、その骨格や動作に沿って広がりゆとりを設けることができる。これらの生地は、伸縮性が特徴としているスムース編み生地、フライス編み生地などを使用することで、伸縮度を増大させる意味では好ましい。また、またＵＶカット加工、撥水・防水加工の生地などに変えることで、水、紫外線から保護する意味で好ましい。
【００１９】  愛玩動物用衣服の前方の両側に配置されたアームホール４は、４足の愛玩動物の前足部を挿入する貫通孔である。アームホール４は、前身ごろ１と後ろ身ごろ２の前方の繋ぎ部に袖口を形成する。愛玩動物用衣服の最前方には、ネックホール５が形成されており、ネックホール５は愛玩動物の首部を挿入するものであり、頭部を外側に露出するためも貫通孔である。ネックホール５は、前身ごろ１の前端と後ろ身ごろ２の前端で、略円形のネックホール５の縁を形成する。
【００２０】  愛玩動物用衣服の最後部には、愛玩動物の後ろ足、尻尾を露出させるための貫通孔７が形成されている。以上詳記したように、本実施の形態１の愛玩動物用衣服は、胸から腹部を覆う前身ごろ１に、主に上下の方向伸縮性を向上するためギャザー１ａ、及び脇部にタック３を配置したので、愛玩動物に対して極めて快適な装着環境により違和感を減少することができた。また、愛玩動物の種類によって違う体型、成長に対応でき毛の長さによるモクモクや圧迫感を解消することができた。
【００２１】［実施の形態２］
図７及び図８は、本考案の実施の形態２を示すものであり、図７は背面図であり、図８は正面図である。実施の形態２が実施の形態１と異なる点は、両前足の肩から手首までをカバーするための椀部１０、両後足の腰から足首までをカバーする脚部１３、及び頭部をカバーするためのフード１５を前方に配置した点である。前身ごろ１、後身ごろ２、及びタック３の構造、機能は、実質的に同一であるので、その説明は省略する。
【００２２】  両椀部１０の先端の袖部１１には、伸縮自在なギャザー１１ａが形成されている。両袖部１１の先端部は、両手足を挿入し貫通する貫通孔１２が形成されている。同様に、両脚部１３の先端部の袖部１４には、伸縮自在なギャザー１４ａが形成されている。両両脚部１３の先端部は、両後足を挿入し貫通する貫通孔１４ｂが形成されている。ギャザー１１ａ、１４ａは、撥水性の生地を使用し袖部、袖口部にギャザーを施すことにより、雨や水溜りなどによる皮膚および足の濡れを可能な限り少なくすることとなり、愛玩動物にとっても快適な環境、人間にとっては愛玩動物のケアが容易になる。
【００２３】  両椀部１０の肩部６は、鎖骨がない４足愛玩動物のために、図７に示すように前身ごろ１と後身ごろ２との結合には、主にラグラン袖を構成し、前足の動きに違和感を減少することができる。ラグラン袖は、スポーツウェアやトレーニングウェアに広く用いられているものであり、袖が襟ぐりまで切れ目なく続いており、鎖骨から腋窩にかけて斜めに縫い目が見られることが特徴となっている。
【００２４】  本実施の形態２は、両椀部１０、及び両脚部１３を設けたことにより、愛玩動物が外で散歩するとき、皮膚、毛を紫外線から保護し、更に埃、泥、落ち葉、雨などから保護が可能となる。また、両手、両足からの脱毛を防ぐこともできる。フード１５も同様に、皮膚、毛を紫外線から保護し、更に埃、泥、落ち葉、雨などから保護が可能となる。実施の形態２の貫通孔７は、主に腹部を露出させるための孔である。一般に腹部は、温度調節のために毛が少なく肌が露出しているので、この部分を開口したものである。
【００２５】［実施の形態３］
図９及び図１０は、本考案の実施の形態３を示すものであり、図９は側面図であり、図１０は首部のギャザーが伸びた状態を示す図である。実施の形態３のものと、実施の形態１のものとが異なる点は、図９、図１０で示したように、前身ごろ１および後ろ身ごろ２の上端の首袖２０にギャザー２０ａをした布を縫製により結合させ点である。正確には、前身ごろ１および後ろ身ごろ２の上端に、これと一体にネックホール５の外縁に、横方向の伸び、即ちネックホール５の内径が大きくなる方向に伸びるシャーリング（ギャザー）２０ａを配置したものである。
【００２６】  図１０で示したように、シャーリング（ギャザー）の伸びは、通常の状態より２倍以上伸ばすことが可能になり、愛玩動物に着用させることが容易にできる。他の部分は、実質的に実施の形態１と同一であり、その説明は省略する。
【符号の説明】
【００２７】１…前身ごろ
１ａ…シャーリング（ギャザー）をした布
２…後ろ身ごろ
３…脇身ごろ
３ａ…脇部タックの折り目
３ｂ…脇部タックの縫い目
４…アームホール
５…ネックホール
６…肩部
７…開口部
１０…前足部
１１…前足部袖
１１ａ…シャーリング（ギャザー）をした布
１２…前足部袖口
１３…後足部
１４…後足部袖
１４ａ…シャーリング（ギャザー）をした布
１５…フード部
２０…首袖
２０ａ…シャーリング（ギャザー）をした布
【図１】
0003152554.tif 000003
【図２】
0003152554.tif 000004
【図３】
0003152554.tif 000005
【図４】
0003152554.tif 000006
【図５】
0003152554.tif 000007
【図６】
0003152554.tif 000008
【図７】
0003152554.tif 000009
【図８】
0003152554.tif 000010
【図９】
0003152554.tif 000011
【図１０】
0003152554.tif 000012